(57)【要約】 【課題】  設定作業に要する手間および時間が低減され、設定作業の操作性が向上された操作案内表示装置およびナビゲーション装置を提供する。【解決手段】  表示制御部４によって、表示部２に表示される画面を、操作案内画面から操作画面に移行したとき、複数の操作画面のうちで設定が完了した最終の操作画面を選択して、表示部２に表示させ、既に設定が完了した操作画面を最初から順次的に表示させないようにして、設定操作に要する手間および時間を短縮し、登録作業の煩雑化を防ぎ、操作性を向上する。【選択図】      図１
2010015199.tif 000002
【特許請求の範囲】
【請求項１】
一画面に、操作に関する操作案内情報が表示される複数の操作案内画面と、各操作案内画面にそれぞれ対応する複数の操作画面とのいずれか一方を、選択的に切り換えて表示する表示部と、
前記表示部に表示される画面を、操作案内画面から操作画面に移行したとき、前記複数の操作画面のうち、設定が完了した最終の操作画面を選択して、前記表示部に表示させる表示制御部とを含むことを特徴とする操作案内表示装置。
【請求項２】
前記表示部に表示される各操作案内画面の複数の操作ボタンのいずれかを選択的に押下するための入力手段を含み、
前記表示制御部は、前記入力手段によって押下された操作ボタンに対応する操作画面を、前記表示部に表示させ、
各操作案内画面に表示される複数の操作ボタンは、設定入力される項目を選択するための設定項目選択ボタンと、設定項目選択ボタンによって選択された設定項目の操作画面に移行するための操作画面移行ボタンと、次の操作案内画面の移行するための次画面移行ボタンと、前の操作案内画面に移行するための前画面移行ボタンとを有することを特徴とする請求項１記載の操作案内表示装置。
【請求項３】
前記表示制御部は、前記設定が完了した最終の操作画面として、直前の登録完了画面を選択して、前記表示部に表示させることを特徴とする請求項１または２記載の操作案内表示装置。
【請求項４】
前記入力手段は、前記表示部の表示面上に設けられるタッチパネルであることを特徴とする請求項１〜３のいずれか１つに記載の操作案内表示装置。
【請求項５】
請求項１〜４のいずれか１つに記載の操作案内表示装置を具備するナビゲーション装置。
【発明の詳細な説明】
【技術分野】
【０００１】
本発明は、ユーザが所要の設定操作に従って順次的に誤りなく操作して入力するための操作案内情報を表示して、操作画面からの入力操作を支援することができる操作案内表示装置およびナビゲーション装置に関する。
【背景技術】
【０００２】
従来のナビゲーション装置には、地図画面などを表示する表示部にタッチパネルが設けられ、このタッチパネルを介して前記表示部に表示された各種の操作ボタンを選択的に手指で押下することによって、押下した操作ボタンに対応する機能を実行するように構成されている。
【０００３】
例えば、新たに購入したナビゲーション装置の使用を開始する際には、ユーザ自身によって、自宅の所在地、目的地および地図画像の表示形態などの各種の初期設定項目の設定作業を行う必要があるため、このような設定操作を容易かつ確実にユーザが行えるように、地図データが記憶されるたとえばＤＶＤ−ＲＯＭ（Dig ital Versatile Disk Read Only Memory）によって実現される記憶部には、操作画面の画像データと、操作画面に対する操作案内画面の画像データとが記憶されている。
【０００４】
ナビゲーション装置の内部処理は、情報検索、地図探索、案内および地図表示などの内部データに基づいて行う処理と、現在地追従のためのＧＰＳ（Global Positioning System）情報、２次元ジャイロセンサ情報、走行速度などの車両情報および道路形状データなどの外部データに基づいて行う処理とがある。これらの処理は、常に並行して実行する必要があり、しかも非同期的に発生する処理であるため、これらの処理を、相互影響によるオーバーヘッドなどに起因する処理負荷を増加させずに実行するためのハードウェア資源として、２つの演算処理装置が実装されている。
【０００５】
前記２つの演算処理装置のうちの一方は、主として内部演算処理を担い、ＡＳＩＣ（Application Specific Integrated Circuit）によって実現される。また、前記２つの演算処理装置のうちの他方は、表示制御部であって、描画処理などを含む主として外部演算処理を担い、ＩＣ（Integrated Circuit）によって実現される。
【０００６】
図１は従来のナビゲーション装置に具備される操作案内表示装置の表示手順を示す図であり、類似の先行技術は例えば特許文献１に開示されている。前記ナビゲーション装置は、前記他方の演算処理装置によって実行可能なコンピュータプログラムによって実現される操作案内表示装置を具備し、この操作案内表示装置による表示動作を、自宅の所在地をナビゲーション装置に登録する場合を想定して説明する。
【０００７】
この自宅登録の場合の操作案内画面は、自宅の所在地の設定するため操作案内画面Ａ１、メモリ地点を登録編集するための操作案内画面Ａ２、登録するための操作案内画面Ａ３、検索方法を選択するための操作案内画面Ａ４、自宅に所在地を設定するための操作案内画面Ａ５、自宅かその他の所在地かの種別を設定するための操作案内画面Ａ６、未登録とするときの操作案内画面Ａ７、地図上の自宅のマークを付すか否かを選択するための操作案内画面Ａ８、マークの種類を選択するための操作案内画面Ａ９、完了するための操作案内画面Ａ１０、現在地を表示させるための操作案内画面Ａ１１から成る。また操作画面は、前述の各操作案内画面Ａ１〜Ａ１１に対応する操作画面Ｂ１，Ｂ２，…，Ｂ１０，Ｂ１１から成る。
【０００８】
操作画面の画像データが前記一方の演算処理装置によって記憶部から読み出され、表示部には、操作案内画面Ａ１，Ａ２，Ａ３が表示された後、操作画面Ｂ１，Ｂ２，Ｂ３がこの順序で表示され、ユーザは各操作画面Ｂ１，Ｂ２，Ｂ３に従って、表示部に表示された操作ボタンを選択的に押下し、メモリ地点の登録を完了する。
【０００９】
次に、表示部には操作案内画面Ａ４〜Ａ７が順次的に表示され、ユーザはそれらの表示によって設定操作を確認し、各操作案内画面Ａ４〜Ａ７に対応する設定操作を行うために決定ボタンを押下すると、最初の操作画面Ｂ１に復帰し、再度操作画面Ｂ１〜Ｂ３の設定操作を行った後、第４番目の操作画面Ｂ４から第７番目の操作画面Ｂ７の設定操作を行う。
【００１０】
さらに、後続する操作案内画面Ａ８，Ａ９を確認して決定ボタンを押下すると、表示部には最初の操作画面Ｂ１が表示され、ユーザは既に入力を終えた操作画面Ｂ２〜Ｂ７を次画面移行ボタンを押下して順次的に移行させた後、前記操作案内画面Ａ８，Ａ９に対応する操作画面Ｂ８，Ｂ９によって設定操作を行い、次の操作案内画面Ａ１０によって操作内容を確認した後、その操作画面Ｂ１０によって完了ボタンを押下し、最後の操作案内画面Ａ１１によって操作内容を確認して、その操作画面Ｂ１１によって現在地を設定することによって、自宅の所在地の登録作業が終了する。
【００１１】
【特許文献１】特開２００５−１１５７７９号公報
【発明の開示】
【発明が解決しようとする課題】
【００１２】
前記従来技術では、第７番目の操作案内画面Ａ７および第９番目の操作案内画面Ａ９を表示部に表示させた状態で移行ボタンを押下すると、最初の操作画面Ｂ１に戻ってしまうため、ユーザは既に設定した操作画面Ｂ１〜Ｂ３またはＢ１〜Ｂ７を順次的に表示させて移行させなければならず、設定作業に手間および時間を要してしまうという問題がある。
【００１３】
本発明の目的は、設定作業に要する手間および時間が低減され、設定作業の操作性が向上された操作案内表示装置およびナビゲーション装置を提供することである。
【課題を解決するための手段】
【００１４】
本発明（１）は、一画面に、操作に関する操作案内情報が表示される複数の操作案内画面と、各操作案内画面にそれぞれ対応する複数の操作画面とのいずれか一方を、選択的に切り換えて表示する表示部と、
前記表示部に表示される画面を、操作案内画面から操作画面に移行したとき、前記複数の操作画面のうち、設定が完了した最終の操作画面を選択して、前記表示部に表示させる表示制御部とを含むことを特徴とする操作案内表示装置である。
【００１５】
本発明に従えば、表示部には、一画面に、操作に関する操作案内情報が表示される複数の画面によって構成される操作案内画面と、各操作案内画面にそれぞれ対応する複数の操作画面とのいずれか一方が、選択的に切り換えて表示される。表示制御部は、前記表示部に表示される画面を、操作案内画面から操作画面に移行したとき、前記複数の操作画面のうち、設定が完了した最終の操作画面を選択して、前記表示部に表示させる。
【００１６】
このように、表示制御部は、操作案内画面から操作画面に移行したとき、設定が完了した最終の操作画面を表示部に表示させるので、前記従来技術のように、既に設定が完了した操作画面を最初から順次的に表示させることなく、設定操作に要する手間および時間を短縮し、各種の設定内容および登録内容を効率よく設定し、登録することができる。
【００１７】
本発明（５）は、前記操作案内表示装置を具備するナビゲーション装置である。
本発明に従えば、ナビゲーション装置の使用開始時に、必要登録事項を容易かつ円滑に設定・登録し、迅速に実使用可能な状態を実現することができる。
【発明の効果】
【００１８】
本発明によれば、表示制御部によって、表示部に表示される画面が操作案内画面から操作画面に移行したとき、設定が完了した最終の操作画面が表示されるので、前記従来技術のように、既に設定が完了した操作画面を最初から順次的に表示させるという無駄な表示および操作が削減され、設定・登録作業を効率よく行うことができる。
【発明を実施するための最良の形態】
【００１９】
図２は、本発明の一実施形態のナビゲーション装置に具備される操作案内表示装置１の電気的構成を示すブロック図である。本実施の形態の操作案内表示装置１は、液晶表示パネルによって実現される表示部２と、表示部２の表示面上に積重して設けられる入力手段としてのタッチパネル３と、タッチパネル３によって押下された操作ボタンに対応する操作画面を前記表示部２に表示させ、表示部２に表示される画面を、操作案内画面から操作画面に移行したとき、複数の操作画面のうち、設定が完了した最終の操作画面を選択して前記表示部２に表示させる表示制御部４と、ナビゲーションなどのために利用される地図データが記憶され、ハードディスク（Hard Disk；略称ＨＤ）などの記録媒体によって実現される第１記憶部５と、複数の操作案内画面の画像データおよび前記複数の操作画面の画像データが記憶され、ＤＶＤ（Di gital Versatile Disk）によって実現される第２記憶部６とを含む。
【００２０】
前記表示制御部４は、主として内部演算処理を担うＡＳＩＣ（Application Specific Integrated Circuit）７と、描画処理などを含む主として外部演算処理を担う表示用ＩＣ（Integrated Circuit）８と、表示用ＩＣ８によって実行されるプログラムが格納されたＲＯＭ（Read Only Member）９とを含んで構成される。
【００２１】
このようにＡＳＩＣ７と表示用ＩＣ８とを表示制御部７に具備するのは、ナビゲーション装置の内部処理は、情報検索、地図探索、案内および地図表示などの内部データに基づいて行う処理と、現在地追従のためのＧＰＳ（Global Positioning System）情報、２次元ジャイロセンサ情報、走行速度などの車両情報および道路形状データなどの外部データに基づいて行う処理とがあり、これらの非同期的な処理を常に並行して、相互影響によるオーバーヘッドなどに起因する処理負荷を増加させずに、実行するためである。
【００２２】
前記タッチパネル３は、透明導電膜等によって構成され、画面をユーザが指で押圧すると、タッチパネル３から押圧位置を示す入力信号が表示制御部４に出力されて、表示部２に表示された複数の操作ボタンのいずれが押下されたかを判断することができるように構成されている。なお、入力手段として、前記タッチパネル３に代えて、キーボードのカーソルキー、ジョイスティック、マウスなどの各種の入力装置を適宜採用するようにしてもよい。
【００２３】
図３は表示制御部４の表示制御動作を説明するためのフローチャートであり、図４は表示制御部４の表示制御によって順次進行する表示画面の推移を示す図である。図５は自宅の所在地を設定するため操作案内画面Ａ１を示す図であり、図６はメモリ地点を登録編集するための操作案内画面Ａ２を示す図であり、図７は登録するための操作案内画面Ａ３を示す図であり、図８は検索方法を選択するための操作案内画面Ａ４を示す図であり、図９は自宅に所在地を設定するための操作案内画面Ａ５を示す図である。また図１０は自宅の所在地を設定するため操作画面Ｂ１を示す図であり、図１１はメモリ地点を登録編集するための設定操作操作案内画面Ｂ２を示す図であり、図１２は登録するための設定操作Ｂ３を示す図であり、図１３は検索方法を選択するための操作案内画面Ｂ４を示す図であり、図１４は自宅に所在地を設定するための操作案内画面Ｂ５を示す図である。
【００２４】
これらの図を参照して、表示制御動作を説明するための一例として、ナビゲーション装置に自宅の所在地を登録するときに手順について述べる。
【００２５】
前記ナビゲーション装置が起動されると、表示制御部４によって第１記憶部５から操作画面Ｂ１の画像データが読み出され、ＲＡＭ１０に記憶されるとともに、第２記憶部６から複数の登録メニューボタンを有するメニュー選択画面の画像データが読み出され、表示部２にはたとえばオン・スクリーン機能（on-screen function）によって前記メニュー選択画面表示される。この状態で、自宅の所在地の登録メニューボタンが押下されると（ステップｓ１）、表示部２には先頭画面として図５に示す操作案内画面Ａ１が表示され（ステップｓ１）、この表示Ａ１を維持した状態で、表示制御部４の表示制御用ＩＣ８は、先頭画面移行ボタン２１が押下されたか否かを判断し（ステップｓ３）、押下されていないと判断した場合には、前手順移行ボタン２２が押下されたか否かを判断する（ステップｓ４）。また、前記先頭画面移行ボタン２１が押下された場合には、先頭画面である操作案内画面Ａ１の表示状態を維持する（ステップｓ２）。
【００２６】
前手順移行ボタン２２が押下された場合には、前手順表示画面に戻る（ステップｓ５）が、前手順が存在しない場合は、先頭画面である操作案内画面Ａ１の表示状態を維持する（ステップｓ２）。また、前記前手順移行ボタン２２が押下されていないと判断した場合には、次手順移行ボタン２３が押下されたか否かを判断し（ステップｓ６）、次手順移行ボタン２３が押下された場合には、次手順表示画面である図５のメモリ地点登録画面である操作案内画面Ａ２に移行する（ステップｓ７）が、次手順が存在しない場合は、決定ボタン２４が押下されたか否かを判断する（ステップｓ８）。
【００２７】
決定ボタン２４が押下された場合には、図１０に示す操作画面Ｂ１が表示部２に表示され（ステップｓ９）、この操作画面Ｂ１の設定ボタン２５を押下すると、図１１に示す次の操作画面Ｂ２が表示される。この操作画面Ｂ２には、複数の操作ボタンとして、音量設定ボタン２６、案内中止ボタン２７、ルート変更ボタン２８、メモリ地点登録編集ボタン２９および地図更新ボタン３０が表示され、たとえばメモリ地点登録編集ボタン２９を押下すると、図１２に示すメモリ地点を登録するための操作画面Ｂ３が表示される。この操作画面Ｂ３の登録ボタン３１を押下すると、再び図７の最後の操作案内画面Ａ３に移行し、その画面Ａ３が表示部２に表示される。
【００２８】
ユーザは、操作手順を確認するために表示部２に表示される操作案内画面Ａ４の次手順移行ボタン２３を押下して操作案内画面Ａ５，Ａ６，Ａ７（操作案内画面Ａ６以降は図示せず）を順次的に表示させた後、各操作案内画面Ａ４〜Ａ７に対応する設定操作を行うために決定ボタン２４を押下すると、最後の操作画面Ｂ３に復帰し、最後の設定操作した登録内容が何であったかを容易に確認することができる。したがって、前記従来技術のように、最初の操作画面に戻る場合に比べて、既に設定した操作画面Ｂ１〜Ｂ３によって再び同様な設定作業を行う必要がなく、設定作業の要する時間および手間を削減することができる。
【００２９】
３番目の操作画面Ｂ３で次の操作画面への移行ボタンであるメモリ地点移行ボタン３２を押下すると、メモリ地点を登録するための操作画面Ｂ４に移行し、複数の操作ボタンである選択ボタン３３ａ〜３３ｅからたとえば現在地周辺であることを設定するために選択ボタン３３ａを押下すると、図１４に示す操作画面Ｂ５が表示され、その画面Ｂ５のセットボタン３４を押下すると、後続する操作画面Ｂ６，Ｂ７（操作画面Ｂ６以降は図示せず）が表示され、操作画面Ｂ７の操作ボタンを押下すると、再び最後の操作案内画面Ａ７が表示され、順次、操作案内画面Ａ８，Ａ９が表示されて操作手順を確認した後、最後の操作案内画面Ａ９の決定ボタン２４を押下すると、最後の操作画面Ｂ７が表示される。したがって、操作画面Ｂ１〜Ｂ６は表示されず、また操作画面Ｂ１〜Ｂ７の再設定作業は不要であるので、設定時間の短縮を図り、誤操作の発生確率を低くし、円滑にかつ正確な設定登録作業を行うことができる。
【００３０】
最後の操作画面Ｂ９の設定情報を確定するための操作ボタンを押下すると、再び後続する操作案内画面Ａ１０，Ａ１１が表示され、前述と同様に移行ボタン２４を押下して次画面に移行させ、最後の操作案内画面Ａ１１で決定ボタン２４を押下すると、最後の操作画面Ｂ９に移行し、順次操作案内画面Ｂ１０、Ｂ１１でそれぞれ設定情報を確定するための操作ボタンを押下することによって、自宅の所在地の登録作業が終了する。
【００３１】
以上のように本実施形態では、操作案内画面Ａ７で決定ボタン２４を押下したときには、その時点における最後の操作画面Ｂ３に戻り、操作案内画面Ａ９で決定ボタン２４を押下したときには、その時点における最後の操作画面Ｂ９に戻るので、既に設定を終えている操作画面Ａ１，Ａ２あるいは操作画面Ａ１〜Ａ８は表示されず、重複する再設定作業および確認作業を省略し、効率よく設定・登録作業を行うことができる。
【００３２】
本発明の操作案内表示装置は、前述の自宅の所在地を設定・登録する場合だけでなく、その他の設定・登録情報、たとえば音質、音量、複数のスピーカの音量バランスなど音響特性に関するパラメータであってもよく、またナビゲーション装置に限らず、車両の走行制御装置の走行制御特性に関するパラメータなどを設定・登録するために実施されてもよく、前述と同様な効果を達成することができる。
【図面の簡単な説明】
【００３３】
【図１】従来のナビゲーション装置に具備される操作案内表示装置の表示手順を示す図である。
【図２】本発明の一実施形態のナビゲーション装置に具備される操作案内表示装置１の電気的構成を示すブロック図である。
【図３】図３は表示制御部４の表示制御動作を説明するためのフローチャートである。
【図４】表示制御部４の表示制御によって順次進行する表示画面の推移を示す図である。
【図５】自宅の所在地を設定するため操作案内画面Ａ１を示す図である。
【図６】メモリ地点を登録編集するための操作案内画面Ａ２を示す図である。
【図７】登録するための操作案内画面Ａ３を示す図である。
【図８】検索方法を選択するための操作案内画面Ａ４を示す図である。
【図９】自宅に所在地を設定するための操作案内画面Ａ５を示す図である。
【図１０】自宅の所在地を設定するため操作画面Ｂ１を示す図である。
【図１１】メモリ地点を登録編集するための設定操作操作案内画面Ｂ２を示す図である。
【図１２】登録するための設定操作Ｂ３を示す図である。
【図１３】検索方法を選択するための操作案内画面Ｂ４を示す図である。
【図１４】自宅に所在地を設定するための操作案内画面Ｂ５を示す図である。
【符号の説明】
【００３４】
１  操作案内表示装置
２  表示部
３  タッチパネル
４  表示制御部
５  第１記憶部
６  第２記憶部
７  ＡＳＩＣ
８  表示用ＩＣ
９  ＲＯＭ
１０  ＲＡＭ
２１  先頭画面移行ボタン
２２  前手順移行ボタン
２３  次手順移行ボタン
２４  決定ボタン
２５  設定ボタン
２６  音量設定ボタン
２７  案内中止ボタン
２８  ルート変更ボタン
２９  メモリ地点登録編集ボタン
３０  地図更新ボタン
３１  登録ボタン
Ａ１〜Ａ１１  操作案内画面
Ｂ１〜Ｂ１１  操作画面
【図１】
2010015199.tif 000003
【図２】
2010015199.tif 000004
【図３】
2010015199.tif 000005
【図４】
2010015199.tif 000006
【図５】
2010015199.tif 000007
【図６】
2010015199.tif 000008
【図７】
2010015199.tif 000009
【図８】
2010015199.tif 000010
【図１０】
2010015199.tif 000011
【図１１】
2010015199.tif 000012
【図１２】
2010015199.tif 000013
【図１３】
2010015199.tif 000014
【図９】
2010015199.tif 000015
【図１４】
2010015199.tif 000016